【事件の表示】
　特許第２８４９７１３号「内側カバーの表面に複数の突起を有する多層構造のゴルフボール」の請求項１ないし４１に係る特許に対する特許異議の申立てについて、次のとおり決定する。
【結　論】
　特許第２８４９７１３号の請求項１ないし４１に係る特許を維持する。
【理　由】
理由
１．本件発明
　本件特許第２８４９７１３号（平成９年４月２８日出願（パリ条約による優先権主張　１９９７年２月１０日　韓国（ＫＲ）、平成１０年１１月１３日設定登録）の請求項１〜４１に係る発明は、その特許請求の範囲の請求項１〜４１に記載された事項により特定される次のとおりのものである。
「【請求項１】　多層構造のゴルフボールであって、内側カバーの表面に複数の突起が設けられており、前記内側カバーが、表面にディンプルを有する外側カバーにより覆われていることを特徴とする多層構造のゴルフボール。
　【請求項２】　前記ゴルフボールが、一つの核と二重カバーからなるスリーピースソリッドゴルフボールであり、前記二重カバーが、複数の突起を有する内側カバーと、前記内側カバーを覆っている外側カバーとからなることを特徴とする請求項１記載のゴルフボール。
　【請求項３】　前記ゴルフボールが、二重核と二重カバーからなるフォーピースソリッドゴルフボールであり、前記二重核が、内核と、前記内核を覆っている外層とからなり、前記二重カバーが、複数の突起を有する内側カバーと、前記内側カバーを覆っている外側カバーとからなることを特徴とする請求項１記載のゴルフボール。
　【請求項４】　前記ゴルフボールが、液体芯、前記液体芯に巻き付いたゴム糸層、前記ゴム糸層を覆っている内側カバー、及び複数の突起を有する前記内側カバーを覆っている外側カバーとからなるフォーピースゴルフボールであることを特徴とする請求項１記載のゴルフボール。
　【請求項５】　前記ゴルフボールが、固体芯、前記固体芯に巻き付いたゴム糸層、前記ゴム糸層を覆っている複数の突起を有した内側カバー、及び前記内側カバーを覆っている外側カバーとからなるフォーピースゴルフボールであることを特徴とする請求項１記載のゴルフボール。
　【請求項６】　前記ゴルフボールが、一つの核と三重カバーからなるフォーピースソリッドゴルフボールであり、前記三重カバーが、前記核を覆っている第１内側カバー、前記第１内側カバーを覆っている突起を有した内側カバー、及び前記内側カバーを覆っている外側カバーとからなることを特徴とする請求項１記載のゴルフボール。
　【請求項７】　前記ゴルフボールが、二重核と三重カバーからなるファイブピースソリッドゴルフボールであり、前記二重核が、内核と前記内核を覆っている外層とからなり、前記三重カバーが、前記二重核を覆っている第１内側カバー、前記第１内側カバーを覆っている突起を有した内側カバー、及び前記内側カバーを覆っている外側カバーとからなることを特徴とする請求項１記載のゴルフボール。
　【請求項８】　前記ゴルフボールが、核の表面に薄い塗布層を有することを特徴とする請求項１記載のゴルフボール。
　【請求項９】　前記ゴルフボールが、二重核の外層の表面に薄い塗布層を有することを特徴とする請求項１記載のゴルフボール。
　【請求項１０】　前記ゴルフボールが、複数の突起を有する内側カバーの表面に薄い塗布層を有することを特徴とする請求項１記載のゴルフボール。
　【請求項１１】　前記内側カバーの表面が、該表面に突起が配列されるように、角度と距離で均等に分けられていることを特徴とする請求項１記載のゴルフボール。
　【請求項１２】　前記内側カバーの表面が、該表面に突起が配列されるように、球状６面体、または球状８面体、または球状１２面体、または球状２０面体、または球状６−８面体、または球状２０−１２面体、またはそれ以外の球状多面体等の球状多面体に分けられていることを特徴とする請求項１記載のゴルフボール。
　【請求項１３】　前記突起の形状が、底部分が切れた球体形状であることを特徴とする請求項１記載のゴルフボール。
　【請求項１４】　前記突起の形状が、多面体の形状であることを特徴とする請求項１記載のゴルフボール。
　【請求項１５】　前記突起の形状が、球状多面体の形状であることを特徴とする請求項１記載のゴルフボール。
　【請求項１６】　前記突起の形状が、下面が多角形で、側面が切れた円錐の側面のように丸くて平らな形状であることを特徴とする請求項１記載のゴルフボール。
　【請求項１７】　前記突起の形状が、下面が円形で、側面が切れた円錐の側面のように丸くて平らな形状であることを特徴とする請求項１記載のゴルフボール。
　【請求項１８】　前記突起の形状が、下面が多角形で、側面が円錐の側面のように丸くて平らで、その各上面の上に小さなドームがくっついている形状であることを特徴とする請求項１記載のゴルフボール。
　【請求項１９】　前記突起の形状が、下面が多角形で、側面が多角形で、その各上面の上に小さなドームがくっついている形状であることを特徴とする請求項１記載のゴルフボール。
　【請求項２０】　前記突起の形状が、下面が円形で、側面が円錐のように丸くて平らで、その各上面の上に小さなドームがくっついている形状であることを特徴とする請求項１記載のゴルフボール。
　【請求項２１】　前記突起の形状が、下部分と上部分が切れた球体の形状であることを特徴とする請求項１記載のゴルフボール。
　【請求項２２】　前記突起の形状が、請求項１３〜請求項２１に規定される形状のいずれか１つであることを特徴とする請求項１記載のゴルフボール。
　【請求項２３】　前記突起の形状が、請求項１３〜請求項２１に規定される形状の２種以上であることを特徴とする請求項１記載のゴルフボール。
　【請求項２４】　前記突起が、互いに離れており、前記内側カバーの表面の突起と突起の間に平坦面を有していることを特徴とする請求項１記載のゴルフボール。
　【請求項２５】　前記内側カバーの表面の突起と突起の間に、窪んだ凹面を有していることを特徴とする請求項２４記載のゴルフボール。
　【請求項２６】　前記内側カバーの表面の突起と突起の間に、窪みのない平坦面を有していることを特徴とする請求項２４記載のゴルフボール。
　【請求項２７】　前記突起が、互いに接しており、前記内側カバーの表面の突起と突起の間に平坦面を有していないことを特徴とする請求項１記載のゴルフボール。
　【請求項２８】　前記内側カバーの表面に設けられている突起のうち、いくつかは互いに接しているが、いくつかは互いに離れていることを特徴とする請求項１記載のゴルフボール。
　【請求項２９】　互いに離れているいくつかの突起の間に窪んだ凹面を有していることを特徴とする請求項２８記載のゴルフボール。
　【請求項３０】　互いに離れているいくつかの突起の間に窪んでいない平坦面を有していることを特徴とする請求項２８記載のゴルフボール。
　【請求項３１】　複数の突起を有する前記内側カバーの厚みが０．２ｍｍ以上４ｍｍ以下であることを特徴とする請求項１記載のゴルフボール。
　【請求項３２】　表面に複数のディンプルを有する外側カバーの厚みが０．２ｍｍ以上４ｍｍ以下であることを特徴とする請求項１記載のゴルフボール。
　【請求項３３】　前記内側カバーの表面に存在する突起の高さＨが０．２ｍｍ以上３ｍｍ以下であることを特徴とする請求項１記載のゴルフボール。
　【請求項３４】　前記突起の頂点から前記外側カバーの表面までの高さＯＣＴ１が０．２ｍｍ以上２ｍｍ以下であることを特徴とする請求項１記載のゴルフボール。
　【請求項３５】　前記核または二重核または第１内側カバーの表面から、突起と突起の間の平坦な底面または窪んだ凹面の一番低い所までの厚みＩＣＴ４が、０．２ｍｍ以上２ｍｍ以下であることを特徴とする請求項１記載のゴルフボール。
　【請求項３６】　前記内側カバーの表面にある突起が、互いに同じ大きさであることを特徴とする、請求項１〜請求項３５のいずれか一項に記載のゴルフボール。
　【請求項３７】　前記内側カバーの表面にある突起が、互いに異なった２種類の大きさであることを特徴とする、請求項１〜請求項３５のいずれか一項に記載のゴルフボール。
　【請求項３８】　前記内側カバーの表面にある突起が、互いに異なった３種類以上１０種類以下の大きさであることを特徴とする、請求項１〜請求項３５のいずれか一項に記載のゴルフボール。
　【請求項３９】　前記内側カバーの表面にある各突起の高さＨが互いに等しいことを特徴とする、請求項１〜請求項３５のいずれか一項に記載のゴルフボール。
　【請求項４０】　前記内側カバーの表面にある各突起の高さＨが、異なった２種類の大きさであることを特徴とする、請求項１〜請求項３５のいずれか一項に記載のゴルフボール。
　【請求項４１】　前記内側カバーの表面にある各突起の高さＨが、異なった３種類以上１０種類以下の大きさであることを特徴とする、請求項１〜請求項３５のいずれか一項に記載のゴルフボール。」
　
２．特許異議申立ての理由の概要
　特許異議申立人　須田武は、甲第１号証（特開昭６２−２７０１７８号公報）、甲第２号証（特公平３−５２３１０号公報）、甲第３号証（特開平８−３２２９６２号公報）、甲第４号証（米国特許第４，２０３，９４１号明細書）を提出し、本件請求項１〜４１に係る発明は、甲第４号証に記載された発明であるから、特許法第２９条第１項第３号の規定により、また、甲第１号証、又は、甲第１〜４号証に記載された発明に基いて当業者が容易に発明をすることができたものであるから、特許法第２９条第２項の規定により、特許を取り消されるべきものである旨主張している。
　
３．甲各号証記載の発明
（甲第１号証）
「（１）ソリッドコア部材と、このソリッドコア部材の周囲を被覆するカバー部材とからなる２重構造を有するゴルフボールにおいて、該ソリッドコア部材の外表面に凹状部を均一に形成したことを特徴とするゴルフボール。
（２）特許請求の範囲第１項に記載のゴルフボールの製法において、該ソリッドコア部材の凹状部にカバー部材を係着させて被覆したことを特徴とするゴルフボール。」（第１頁左下欄特許請求の範囲第１〜９行），
「従来構造のゴルフボールにおいては、全体的に硬く、しかもソリッドコア部材とカバー部材間の境界面が互いに平滑な面となっているのが現状である。
（発明が解決しようとする問題点）
　このため、打球時の打撃感が悪く、糸巻きボールと比較してスピンの掛かり具合が少なく、またソリッドコア部材とカバー部材間の密着性に劣るばかりでなく、打球時の衝撃に対する境界面での応力分担にロスが生じてソリッドコア部材にまでエネルギが十分に伝達されず、このようなエネルギ損失によってボールの反発性能を低下させ、ボールの飛距離に悪影響を及ぼすといった問題があった。
　この発明は、上記の事情のもとになされたもので、その目的とするところは、スピンの掛かり具合を良くし、かつボールの反発性能を高めることができるようにしたゴルフボールおよびその製法を提供することにある。」（第２頁左上欄第１５行〜右上欄第１３行），
「この発明は、上記の構成とすることによって、ソリッドコア部材の外表面に凹状部を均一に形成し、かつカバー部材のソリッドコア部材への被覆成形時に、カバー部材成形用材料の一部をソリッドコア部材の凹状部に充填して係着させてなるようにしたことから、カバー部材とソリッドコア部材との密着性が向上し、しかもソリッドコア部材の外表面が凹凸面となっているために、カバー部材との境界部分での弾力性および粘着性が高まり、ソフトな打撃感を得ることができ、これによって、スピンが掛かり易くなり、また打球時の衝撃に対する応力分担がソリッドコア部材にまで十分に伝達させることができることから、エネルギ損失が少なくなってボールの飛距離を一段と向上させることが可能になる。」（第２頁左下欄第６〜最下行），
「実施例においては、ソリッドコア部材の外表面に均一に凹設される凹状部として、帯状溝としたが、これには限定されず、たとえば半円球状、半楕円球状、円柱状あるいは角柱状などの断面形態を有する盲穴でもこの発明の作用効果を同様に発揮させることができるものであり、」（第３頁右上欄第４〜９行），
「この発明によれば、ソリッドコア部材の外表面に凹状部を均一に形成し、かつカバー部材のソリッドコア部材への被覆成形時に、カバー部材成形用材料の一部をソリッドコア部材の凹状部に充填してカバー部材とソリッドコア部材とを互いに凹凸係合させて係着させるようにしたことから、カバー部材とソリッドコア部材との密着性を向上させることができ、またソリッドコア部材の外表面が凹凸面となっているために、カバー部材との境界部分での弾力性および粘着性を高めることができることから、ソフトな打撃感を得ることができるとともに、スピンを掛かり易くでき、しかも打球時の衝撃に対する応力分担がソリッドコア部材にまで十分に伝達させることができるために、エネルギ損失が少なくなってポールの飛距離を一段と向上させることができるというすぐれた効果を奏するゴルフボールおよびその製法を提供することができるものである。」（第３頁右上欄第１３行〜左下欄第１１行）。
（甲第２号証）
「内層１と外層２から成るツーピースソリッドコアをカバー３で被覆して成るスリーピースソリッドゴルフボールにおいて、内層１の表面上に、外層２の厚さと同程度の高さを有して該内層と一体成形された突起１′を設けたことを特徴とするスリーピースソリッドゴルフボール。」（第１欄特許請求の範囲第１〜６行），
「ソリッドコアを反撥弾性に優れた内層と耐久性に優れた外層の２層に分けたスリーピースソリッドゴルフボールが開発されている。しかしながら、このようなスリーピースソリッドゴルフボールにおいては、ソリッドコアの内層と外層を合体させるプレス加工時において外層ゴムの偏肉が生じやすいために均一な品質のボールが得難いばかりでなく、内層と外層との間に十分な密着性を付与することが困難なために比較的早期に割れたり、反撥特性が低下するなど耐久性に関する難点を依然として払拭していない。本発明はこのようなスリーピースソリッドゴルフボールの欠点を解消するためになされたものである。」（第２欄第８〜２１行），
「本発明に係わるスリーピースソリッドゴルフボールは、従来の同種製品において不十分であったソリッドコアの内層と外層との密着性を接着剤を使用せずに改良すると共に、外層ゴムの偏肉のない均一なソリッドゴルフボールであり、従来品に比べて同等またはそれ以上の反撥特性を保持しつつ改良された耐久性を示し、また、打撃時のフィーリングも極めて良好である。」（第７欄下から２行〜第９欄第３行）。
（甲第３号証）
「【請求項１】　コアとカバーを有するソリッドゴルフボールにおいて、・・・・・上記カバーは、・・・・・内層カバーと、・・・・・外層カバーとの２層からなり、内層カバーの厚みが１．１〜２．５ｍｍで、外層カバーの厚みが１．１〜２．５ｍｍであって、」（第１欄特許請求の範囲第１〜１２行），
「内層カバーが、表面にディンプルを有する外層カバーにより覆われている」点（第１図）。
（甲第４号証）
「クリケットとホッケーの他に、本発明は、・・・ゴルフ・・・用のボールのような、ケーシングとハードコアをもったボールの他のタイプにも適用できる。」（第１欄第４〜６行），
「コアと、このコアを覆って成形されるカバーとを有するボールを作るための方法であって、予め形成された球状コアを供給し、複数個の予め形成されたシェル部材から支持シェルを組み立てて上記コアをこの支持シェルで包囲し、上記シェル部材は本質的に径方向に延出する複数の離間した突起を有し、上記突起は上記球状コアと本質的に同心の仮想球体を区画する先端を有し、上記突起によってコアとシェルをモールド内に支持し、コアとシェルのまわりを覆ってカバー材料を成形することからなる改良。」（第２欄第５３〜６４行），
「突起が、ケーシング１７の外表面から露出している」点（第５図）。
　
４．対比・判断
　以下、本件請求項１に係る発明と、上記甲各号証に記載の発明とを対比する。
　甲第１号証に記載の発明は、「スピンの掛かり具合を良くし、かつボールの反発性能を高めることができるようにしたゴルフボールを提供すること」という課題において、本件請求項１に係る発明と共通するが、
甲第１号証に記載の発明においては、表面に、凹状部が凹設された、ソリッドコア部材（本件特許明細書に記載の「核」に相当する。以下、括弧内は、甲各号証に記載の発明の部材に相当する、本件特許明細書に記載の部材を示す。）を一重のカバー部材（外側カバー）で被覆したゴルフボールであり、
凹状部は、帯状溝や、半円球状、半楕円球状、円柱状あるいは角柱状などの断面形態を有する盲穴であるから、ソリッドコア部材（核）の表面の、凹状部が凹設されていない部分は、部分的につきでているとはいえないから突起とはいえないものであり（「広辞苑」参照。）、
　甲第２号証に記載の発明は、内層と外層から成るツーピースソリッドコア（二重核）をカバー（外側カバー）で被覆して成り、内層（内核）の表面上に、外層の厚さと同程度の高さを有して該内層（内核）と一体成形された突起を設けたゴルフボールであり、　
　甲第３号証に記載の発明は、内層カバー（内側カバー）が、表面にディンプルを有する外層カバー（外側カバー）により覆われているゴルフボールであり、
　甲第４号証に記載の発明は、
ゴルフボールにも適用できるボールを作るための方法であり、コアを包囲するシェルは表面に突起を有しているが、上記突起の先端はシェルを覆うケーシングの表面に露出しているので、上記ケーシングは、直接打撃を受けるゴルフボールの外側カバーに相当するとはいえないものである。
　したがって、本件請求項１に係る発明の、「内側カバーの表面に複数の突起が設けられており、前記内側カバーが、外側カバーにより覆われている」点は、上記甲第１〜４号証のいずれにも記載されておらず、示唆もされていない。
　そして、上記の点により、本件請求項１に係る発明は、二重カバーの問題点（本件特許明細書の段落【０００４】の、「二重カバーの問題点は、互いに異なる物性の内側カバーと外側カバーの厚みを適当に調節することが難しいことである。柔らかい外側カバーを薄くすると、打撃時、相対的に硬い内側カバーの影響によって触感が硬くなって、スピンの性能が低下することがあり、反対に外側カバーを厚くすると、柔らかい触感とスピンの性能の向上を期待することができるが、その柔らかい物性により反発の弾性が落ちて飛距離の低下をもたらすようになる。また、ある程度の厚みを有している硬い内側カバーは、打撃時に伝達されるエネルギーを減少させることなく、核にエネルギーを伝達をして飛距離を出すことができる。これはゴルフボールの全般的な触感を硬くする根本要因になっていることである。また、二つのカバーの間の異質感によって何度も打撃を加えた際に、二つの層間に剥離が起こり易くなって、反発の弾性の低下をもたらすことがあるが、これは内側カバーと外側カバーが、それぞれ独自の一定の厚みを有しており、二つの層間の接触面積をこれ以上大きくすることができないからである。互いに異なる物性の二層を接着する時はその接触面積を広くすることで接着強度をより高めることができるのである。」という記載参照。）を解決し、飛距離をより多く出す高い弾性と、良好なスピン性能を有したゴルフボールを提供する（本件特許明細書の段落【０００５】参照。）という、上記甲第１〜４号証のいずれにも記載のない課題を解決するものである。
　よって、本件請求項１に係る発明は、甲第４号証に記載された発明であるとも、甲第１号証、又は、甲第１〜４号証に記載された発明に基いて当業者が容易に発明をすることができたものであるともいうことはできない。
　また、本件請求項２〜２４、２７、２８、３１〜４１は本件請求項１を引用し、本件請求項２５、２６は本件請求項１を引用する本件請求項２４を引用し、本件請求項２９、３０は本件請求項１を引用する本件請求項２８を引用するものであるから、本件請求項２〜４１に係る発明は、上記本件請求項１に係る発明と同じ理由により、甲第４号証に記載された発明であるとも、甲第１号証、又は、甲第１〜４号証に記載された発明に基いて当業者が容易に発明をすることができたものであるともいうことはできない。
　
５．むすび
　以上のとおりであるから、特許異議申立ての理由及び証拠によっては本件請求項１〜４１に係る発明の特許を取り消すことはできない。
　また、他に本件請求項１〜４１に係る発明の特許を取り消すべき理由を発見しない。
　よって、結論のとおり決定する。
【異議決定日】
平成１２年３月２日（２０００．３．２）